(57)【要約】いくつかのキャビティを画成する絶縁ケーシング（４）であって、前記キャビティは、電気端子のそれぞれを収容し、かつ、コネクタ（２）が相補的なコネクタ（３）に結合される方向である第１の方向（Ａ）と平行な軸線を有するように構成された絶縁ケーシング（４）と、前記第１の方向（Ａ）に対して垂直な第２の方向（Ｂ）にスライドするように前記ケーシング（４）に嵌め込まれ、前記相補的なコネクタ（３）の関連する第２の結合部材（２０）のそれぞれを受け入れる第１のカム結合部材（１９）を有するスライダ（１６）であって、該スライダ（１６）が前記第２の方向（Ｂ）に移動するときに、前記第１の方向（Ａ）における前記コネクタ（２、３）間の関連する結合移動を生じさせるように構成されたスライダ（１６）と、前記ケーシング（４）への前記スライダ（１６）の完全組み立て位置を規定するように構成された解放可能な保持手段（４２、４３、４５、４７、３１、３２）と、前記スライダ（１６）が前記ケーシング（４）に完全に係合していない場合、前記相補的なコネクタ（３）を排出するために、前記ケーシング（４）に結合された前記相補的なコネクタ（３）への弾性負荷を生じさせるように構成された弾性手段（３５）と、を有している電気コネクタ（２）が開示される。
2005535092.tif 000002
【特許請求の範囲】
【請求項１】
電気コネクタ（２）において、
いくつかのキャビティを画成する絶縁ケーシング（４）であって、前記キャビティが、電気端子のそれぞれを収容し、かつ、該コネクタ（２）が相補的なコネクタ（３）に結合される方向である第１の方向（Ａ）と平行な軸線を有するように構成された絶縁ケーシング（４）と；
前記第１の方向（Ａ）に対して垂直な第２の方向（Ｂ）にスライドするように前記ケーシング（４）に嵌め込まれ、かつ、前記相補的なコネクタ（３）の第２の結合部材（２０）のそれぞれを受け入れる第１のカム結合部材（１９）を有するスライダ（１６）であって、該スライダ（１６）が前記第２の方向（Ｂ）に移動したときに、前記第１の方向（Ａ）における前記両コネクタ（２、３）間の関連する結合移動を生じさせるように構成されたスライダ（１６）と；
前記ケーシング（４）への前記スライダ（１６）の完全組み立て位置を規定する解放可能な保持手段（４２、４３、４５、４７、３１、３２）と；を備え、
さらに、前記スライダ（１６）が前記ケーシング（４）に完全に係合していない場合、前記相補的なコネクタ（３）を排出するために、前記ケーシング（４）に結合される前記相補的なコネクタ（３）への弾性負荷を生成する弾性手段（３５）を備えていることを特徴とする電気コネクタ（２）。
【請求項２】
請求項１に記載のコネクタにおいて、
前記弾性手段（３５）が、前記スライダ（１６）及び前記ケーシング（４）の対向する壁（１７、９）のそれぞれの間に配置されていることを特徴とするコネクタ。
【請求項３】
請求項２に記載のコネクタにおいて、
前記解放可能な保持手段が、前記スライダ（１６）と前記ケーシング（４）との間に、前記完全組み立て位置に到達した前記スライダ（１６）に作用する保持手段（４２、４３、４５、４７）を備えていることを特徴とするコネクタ。
【請求項４】
請求項３に記載のコネクタにおいて、
前記保持手段が、前記両壁（１７、９）に結合されるとともに前記スライダ（１６）の前記完全組み立て位置で相互に係合される少なくとも１つの座部（４５）及びピン（４７）を備え、
前記座部（４５）及び前記ピン（４７）のうちの少なくとも一方が、前記スライダ（１６）が前記完全組み立て位置の方へ移動するのにしたがい前記弾性手段（３５）のスラストに抗する押圧部材（４３）によって担持されていることを特徴とするコネクタ。
【請求項５】
請求項４に記載のコネクタにおいて、
前記弾性手段が、前記第２の方向（Ｂ）において長さの変化する少なくとも１つの弾性部材（３５）であって、前記両壁（１７、９）のうちの一方（１７）と、前記両壁（１７、９）の間に配置されかつ前記第２の方向（Ｂ）にスライドするように前記スライダ（１６）に接続された可動部材（３８）と、の間に固定された少なくとも１つの弾性部材（３５）；を備え、
前記押圧部材（４３）が、前記両壁（１７、９）のうちの他方（９）によって担持され、かつ、前記スライダ（１６）が前記完全組み立て位置の方へ移動するのにしたがい前記弾性部材（３５）のスラストを打ち消すように前記可動部材（３８）と協働することを特徴とするコネクタ。
【請求項６】
請求項５に記載のコネクタにおいて、
前記押圧部材が、前記第２の方向（Ｂ）に前記両壁（１７、９）のうちの前記他方（９）から突出する、弾性力をもった可撓性のランス（４３）を備え、該ランスが、前記弾性部材（３５）のスラストを打ち消すように前記可動部材（３８）と協働する、変形した形状と、前記可動部材（３８）を解放し、かつ前記座部（４５）に係合する前記ピン（４７）によって生じる、変形していない形状との間で、前記スライダ（１６）が前記完全組み立て位置の方へ移動するのにしたがって移動可能とされていることを特徴とするコネクタ。
【請求項７】
請求項６に記載のコネクタにおいて、
前記スライダ（１６）の前記完全組み立て位置では、前記可動部材（３８）が、前記弾性部材（３５）により、前記弾性力をもった可撓性のランス（４３）の変形を防止するとともに前記座部（４５）からの前記ピン（４７）の解放を防止するロック位置に維持され、
前記可動部材（３８）は、前記弾性部材（３５）に抗して、前記弾性力をもった可撓性のランス（４３）の曲がりを可能にするとともに前記座部（４５）からの前記ピン（４７）の解放を可能にする可能位置へ移動可能とされていることを特徴とするコネクタ。
【請求項８】
請求項６あるいは７に記載のコネクタにおいて、
前記ピン（４７）が、前記弾性力をもった可撓性のランス（４３）の自由端（４６）から突出し、
前記座部が、他のランス（４２）に形成された凹所（４５）を備え、該他のランスは、前記両壁（１７、９）のうちの前記一方（１７）から前記第２の方向（Ｂ）に突出し、前記スライダ（１６）が前記完全組み立て位置の方へ移動するのにしたがい前記弾性力をもった可撓性のランス（４３）とスライドするようにして協働し、かつ、前記弾性力をもった可撓性のランス（４３）を曲げるための傾斜路形状の自由端（４４）を有していることを特徴とするコネクタ。
【請求項９】
請求項８に記載のコネクタにおいて、
前記可動部材（３８）が、前記両壁（１７、９）と平行なプレートを備え、該プレートが、前記両ランス（４２、４３）によって係合可能な開口部（４１）を有し、かつ、前記弾性力をもった可撓性のランス（４３）を前記変形した形状に拘束する肩部（４８）を前記開口部（４１）の側縁の片側に沿って画成していることを特徴とするコネクタ。
【請求項１０】
請求項１〜９のいずれかに記載のコネクタにおいて、
前記ケーシング（４）が、前記相補的なコネクタ（３）への接続のための中空の本体（６）を備え、
前記スライダ（１６）が、前記第２の方向（Ｂ）にスライドするように、前記中空の本体（６）の内側に少なくとも一部を係合させ、
前記両壁が、前記第２の方向（Ｂ）に対して垂直な、前記スライダ（１６）及び前記中空の本体（６）の端壁（１７、９）のそれぞれによって画成されていることを特徴とするコネクタ。
【請求項１１】
請求項１０に記載のコネクタにおいて、
前記スライダ（１６）が、略Ｃ字形状とされ、該スライダの端壁（１７）から垂直に延びる２つの側壁（１８）を備え、前記中空の本体（６）の前記端壁（９）を通してスライドし、前記第１のカム結合部材（１９）を有し、かつ、前記可動部材（３８）のそれぞれの側部（３９）によってスライドするように係合される、前記第２の方向（Ｂ）に細長いスロット（４０）のそれぞれを有していることを特徴とするコネクタ。
【発明の詳細な説明】
【技術分野】
【０００１】
本発明は、電気コネクタに関するものであり、限定されることはないが、特に、電子中央制御ユニットに電気システムを接続するために使用される、多数のタイプの手段を有する電気接続ユニットを形成するための、相補的な電気ソケットコネクタに接続可能な電気プラグコネクタに関するものである。
【背景技術】
【０００２】
コネクタが、多数のキャビティのそれぞれを画成する絶縁ケーシングのそれぞれを備え、該キャビティが、相互に接続可能な雄及び雌電気端子をそれぞれ収容する、上記のタイプの接続ユニットは周知である。
【０００３】
このタイプの接続ユニットは、通常、レバー及びスライダ結合装置を備えており、該レバー及びスライダ結合装置は、一旦プラグ及びソケットコネクタがまとめられると、ごく僅かな必要作動力によって、コネクタを結合するように手動で操作される。
【０００４】
結合装置は、実質的に、コネクタの結合方向に対して垂直な方向にスライドするようにプラグコネクタケーシングの内側に嵌め込まれたスライダと、同一のケーシングにヒンジ結合されるとともに前記スライダに嵌め込まれた操作レバーと、を備えている。
【０００５】
広く一般に使用されている１つの実施例において、スライダは、Ｃ字形状とされ、スライド方向に対して垂直な端壁と該端壁の両端縁のそれぞれから垂直に延びる２つの側壁とによって画成されており、プラグコネクタケーシングの関連する側壁に沿ってスライドする。スライダの各側壁は、プラグコネクタの外側ピンのそれぞれによって係合されるいくつかのカム溝を有しており、スライダがスライド方向に移動するときに、結合方向におけるプラグ及びソケットコネクタ間の関連する係合移動を生じさせる。
【０００６】
スライダは、一般に、例えば解放可能な保持部材などの一時的なロッキング手段によって、プラグコネクタケーシングの内側に部分的に挿入された予備組み立て位置で保持されており、操作レバーをヒンジ軸線の周りに上昇位置から下降位置まで回転させることによって、ケーシングの内側に完全に挿入された位置に移動される。
【０００７】
レバーの下降位置とその結果としてのスライダの完全挿入位置とは、一般に、２つのコネクタの雄及び雌端子の完全な結合に相当する。
【０００８】
しかしながら、１つ以上の端子が関連するケーシングの内側に誤って組み付けられた場合、それにもかかわらず、スライダ及びレバーが、例えば接触部品を破壊あるいは変形させることによって、完全挿入位置及び下降位置のそれぞれに押し込まれることがある。この場合、誤って組み付けられた端子は、例えば、端子の位置が電気接触を生じるようにして静止しているため、どんなに不安定でもテスト中に検出を逃れることがある。しかしながら、車両のようなコネクタが振動を受けてしまう用途において、そのような接触は、これが伴う全ての明らかな結果により、最終的には破壊されてしまうことになる。
【発明の開示】
【発明が解決しようとする課題】
【０００９】
本発明の目的は、周知のコネクタに関して典型的な上記の欠点を取り除くように構成され、同時に、コンパクトであり、安価であり、製造及び組み立てが容易である電気コネクタを提供することである。
【課題を解決するための手段】
【００１０】
本発明によれば、電気コネクタにおいて：いくつかのキャビティを画成する絶縁ケーシングであって、該キャビティが、複数の電気端子のそれぞれを収容するとともに、かつ、該コネクタが相補的なコネクタに結合される方向である第１の方向と平行な軸線を有するように構成された絶縁ケーシングと；前記第１の方向に対して垂直な第２の方向にスライドするように前記ケーシングに嵌め込まれ、前記相補的なコネクタの複数の第２の結合部材のそれぞれを受け入れる複数の第１のカム結合部材を有するスライダであって、前記スライダが前記第２の方向に移動するときに、前記第１の方向における前記両コネクタ間の関連する結合移動を生じさせるように構成されたスライダと；前記ケーシングへの前記スライダの完全組み立て位置を画定する解放可能な保持手段と；を備え、さらに、前記スライダが前記ケーシングに完全に係合していない場合、前記相補的なコネクタを排出するために、前記ケーシングに結合されるべき前記相補的なコネクタへの弾性負荷を生成する弾性手段を備えていることを特徴とする電気コネクタが提供される。
【００１１】
本発明による好ましいが限定されることのない実施例が、添付の図面を参照しつつ一例によって説明されるであろう。
【発明を実施するための最良の形態】
【００１２】
図１の符号１は、特に電子中央制御ユニット（図示せず）を車両電気システム（図示せず）に接続するための、多数の手段を有する電気接続ユニットを全体として示している。
【００１３】
ユニット１は、方向Ａにおいて互いに接続可能な第１のプラグコネクタ２（図２、４及び７にも示されている）と第２のソケットコネクタ３とを備えている。
【００１４】
本発明によるコネクタ２は、プラスチック材料からなるとともにいくつかのキャビティ（図示せず）を画成する絶縁ケーシング４を備えている。該キャビティは、方向Ａに平行な軸線を有し、かつ周知の雌電気端子（図示せず）のそれぞれを収容する。該雌電気端子は、キャビティの内側に周知の方法で嵌め込まれ、かつ関連する周知の電気ケーブル（図示せず）に接続される。
【００１５】
ケーシング４は、中空の略平行六面体形状の本体６を備え、該本体は、コネクタ３の挿入のための端開口部７を画成するとともに、雌端子を支持するための略平行六面体形状のブロック８を内側に嵌め込んで前記キャビティを形成している。
【００１６】
より詳しくは、本体６は、前方及び後方それぞれの２つの端壁９、１０と、該端壁９、１０に対して垂直とされ、かつコネクタ３を受け入れるための開口部７を端壁９、１０と一緒に画成する２つの側壁１１と、によって画成されている。
【００１７】
ケーシング４はまた、開口部７とは反対側に、本体６に嵌め込まれる外側シェル１２を備えており、それを通してブロック８の雌端子への接続のための電気ケーブルが延びている。
【００１８】
本発明の明確な理解のために必要に応じて単にここに記載されたコネクタ３は、有利には電子中央制御ユニットの外側ケーシング（図示せず）と一体に形成される中空の略平行六面体形状の絶縁ケーシング１３を備えており、方向Ａと平行に延びるとともに関連する周知の電気ケーブル（図示せず）に接続されるいくつかの周知の雄電気端子（図示せず）を収容する。ケーシング１３は、コネクタ２のブロック８を受け入れるためのキャビティを画成し、その内側に雄端子の接触部のそれぞれを突出させる。
【００１９】
ユニット１はまた、最小量の手動作動力でコネクタ２及び３を結合するためのレバー及びスライダ結合装置１５を備えている。
【００２０】
結合装置１５はスライダ１６を備えており、該スライダは、ケーシング４の内側で部分的にスライドし、方向Ａと本体６の端壁９、１０に対して垂直な方向Ｂとにおいてケーシング４に関して移動可能とされている。スライダ１６は略Ｃ字形状とされており、該スライダは、方向Ｂに対して垂直とされるとともにケーシング４の外側に配置され、かつ本体６の端壁９に対向する端壁１７と、該端壁１７の両側縁のそれぞれから垂直にかつ方向Ａ及びＢと平行に延びる２つの側壁１８と、を備えている。スライダ１６の側壁１８は、端壁９の側端開口部（図示せず）のそれぞれを通して嵌り込み、ブロック８とケーシング４の本体６の両側壁１１のそれぞれとの間でスライドする。
【００２１】
本体６とブロック８とスライダ１６の側壁１８とは、コネクタ３のケーシング１３を受け入れるためのものであってコネクタ３へのコネクタ２の結合領域を画成するためのキャビティを画成している。
【００２２】
各側壁１８は、いくつかのカム溝１９を備えており（図示された例では３つとされ、そのうちの１つのみが図１に示されている）、該カム溝１９は、スライダ１６が方向Ｂにおいてケーシング４の内部を移動したときに、方向Ａにおいてコネクタ２及び３間の関連する結合移動を生じるようにケーシング１３の円柱形の外側ピン２０のそれぞれと協働する。
【００２３】
より詳しくは、各溝１９は、方向Ａと平行に延びるとともに開口部７に近接して配置された、関連するピン２０のための導入部２１と、方向Ａ及びＢに関して傾斜する中間部２２と、方向Ｂと平行であるとともにピン２０のためのストッパを画成する端部２３と、を備えている。各側壁１８の溝１９は、他方の側壁１８の方へ開放しており、底面によって反対側で閉塞されている。
【００２４】
また、結合装置１５は操作レバー２４を備え、該操作レバーは、方向Ａ及びＢに対して垂直な軸線Ｃに関してケーシング４にヒンジ結合され、かつ、軸線Ｃ周りのレバー２４の回転が方向Ｂにおいてスライダ１６を移動させるようにスライダ１６の側壁１８に接続されている。該結合装置は、溝１９に係合するピン２０によって、コネクタ２及び３間の関連する結合移動と方向Ａにおけるコネクタ２及び３の端子間の関連する結合移動とを生じさせる。
【００２５】
レバー２４は、輪郭が示された２つのアーム２５によって画成されており、該アームは、ケーシング４のシェル１２の両側に軸線Ｃに関して外部からヒンジ結合された第１の端部２６と、交差部材２８によって結合された第２の端部２７と、を有している。
【００２６】
各端部２６は、軸線Ｃに関する円柱形であって、関連するアーム２５の延長領域の片側に、図示された例では３つの歯によって画成されたセクターギア２９を画成しており、該セクターギアは、同じく３つの歯（全てが図示されていない）によって画成されるとともにシェル１２に隣接するスライダ１６の関連する側壁１８の端縁の中間部に形成されたラック３０に係合する。
【００２７】
コネクタ２及び３を結合するために、レバー２４は、ケーシング４からのスライダ１６の所定の引き出しに対応する上昇位置（図１及び２）から、ケーシング４の内側でのスライダ１６の側壁１８の最大挿入あるいは完全組み立て位置とコネクタ２及び３の最終結合位置とに対応する、ケーシング４に固定される下降位置（図４及び７）まで、（スライダ１６の端壁１７の方へ交差部材２８を移動させる方向に、つまり図１及び２において反時計回りに）回転する。
【００２８】
より詳しくは、レバー２４の下降位置は、本体６に接続されるシェル１２の反対側でシェル１２から一体的に延びる解放可能な保持部材３１に爪止めされた交差部材２８によって規定（画定）されている。より詳しくは、保持部材３１は、弾性力をもった可撓性のランスによって画成されており、該ランスは、方向Ｂと平行な方向にシェル１２から突出し、かつ、その自由端に交差部材２８と係合する略三角形の歯を有している。
【００２９】
本発明の重要な特徴は、コネクタ２がまた、ケーシング４の本体６の端壁９とスライダ１６の端壁１７との間に配置された２つのガータースプリング３５（図３、５、６及び８でのみ示されている）を備えていることであり、該ガータースプリングは、方向Ｂと平行な軸線をそれぞれ有し、かつケーシング４の内側で完全組み立て位置へのスライダ１６の移動に抗している。換言すれば、コネクタ２及び３を結合するときに、スプリング３５は、スライダ１６がケーシング４に完全に係合していない場合にコネクタ３を排出するため、コネクタ３に対する弾性負荷を生じさせる。
【００３０】
より詳しくは、各スプリング３５は、座部３６、３７（図３、５及び６）のそれぞれの内側において両端が固定されており、該座部は、スライダ１６の端壁１７と、端壁１７とケーシング４の本体６の端壁９との間に配置され、かつ方向Ｂと平行な方向にスライドするようにスライダ１６の側壁１８に固定されたストッパプレート３８と、のそれぞれに形成されている。
【００３１】
より詳しくは、プレート３８は、略長方形であり、かつ、両側に突出部３９（図５及び６のみに示されている）のそれぞれを有しており、該突出部は、スライダ１６の側壁１８に形成されて方向Ｂに細長い長方形のスロット４０のそれぞれに係合している。外力がない場合、スプリング３５は、プレート３８をスライダ１６の端壁１７から最大距離にある前方位置に維持し、プレート３８の突出部３９が、ケーシング６に隣接するとともに方向Ａと平行に延びるスロット４０の端縁のそれぞれに拘束される
【００３２】
プレート３８は、中央に略長方形の通過開口部４１を有し、それを通してスライダ１６及びケーシング４の端壁１７、９のそれぞれから突出する２つの保持ランスあるいは保持部材４２、４３が延びており、これらは、ケーシング４の内側でスライダ１６の完全組み立て位置を規定（画定）するために互いに爪止めする。
【００３３】
より詳しくは、保持部材４２は、後で説明する目的のための傾斜路形状（ランプ形状）の自由端４４と、端４４と端壁１７との間に配置され、両側かつシェル１２の方へ開放する略Ｕ字形状の凹所４５と、を備えている。保持部材４３は、方向Ａと平行な方向において弾性的に可撓性を有し、その自由端４６に突出ピン４７を支持しており、該突出ピンは、スライダ１６の完全組み立て位置（図４及び５）を規定（画定）するために、保持部材４２の凹所４５に解放可能に係合する。
【００３４】
図３に明確に示されているように、保持部材４３のピン４７は、方向Ｂにおいてケーシング６の方へ向かう保持部材４２の経路（軌道）に沿って配置されており、スライダ１６が完全組み立て位置の方へ向かって移動するのにしたがい、保持部材４３のピン４７が、保持部材４２の傾斜路形状の端４４が画成する上方側に傾斜した面に沿って、方向Ａにおいてシェル１２の方へ向かって保持部材４３を曲げるようにスライドする。スライダ１６がケーシング４の内部を移動するのにしたがって保持部材４２及び４３が互いに関してスライドし、ピン４７がついには保持部材４２の凹所４５に係合すると、保持部材４３は、変形していない形状に復元される。
【００３５】
シェル１２の方を向く開口部４１の側縁の片側に沿って、プレート３８は直角肩部４８を画成しており、スライダ１６が完全組み立て位置の方へ移動すると、保持部材４３の端４６が、変形した形状（図６）で拘束される。この段階において、保持部材４３は、スプリング３５のスラストに抗する押圧バーの働きをする。ピン４７が保持部材４２の凹所４５に係合して、保持部材４３がプレート３８の肩部４８から外れると、保持部材４３は、変形していない形状に復元される。
【００３６】
スライダ１６の完全組み立て位置（図５）において、もはや保持部材４３によって抗されていないプレート３８（図５）は、ロック位置へスプリング３５によって押され、該ロック位置では、プレート３８が、ケーシング４の本体６の端壁９に隣接して配置されるとともに保持部材４２及び４３の両方を通過させるようにして嵌め込まれており、このようにして両保持部材が互いに接続された状態で安定して維持される。つまり、プレート３８の開口部４１の内側での保持部材４２及び４３の係合は、方向Ａにおける保持部材４３の曲がりを阻止し、そして凹所４５からのピン４７の解放を阻止する。
【００３７】
プレート３８は、スライダ１６の側壁１８から外方側へ突出する２つのタブ４９を両側に備えており、該タブは、プレート３８をスプリング３５に抗して引き出し位置へ移動させるために手動で操作される。該引き出し位置では、プレート３８が、スライダ１６の端壁１７と凹所４５との間に配置されており、ピン４７を凹所４５から解放するための方向Ａにおける保持部材４３の曲がりを許容する。
【００３８】
ピン４７及び凹所４５の係合及び解放を補助するため、これらピン及び凹所は、ケーシング４の端壁９の側に側方面取り５０及び導入面５１をそれぞれ備えている。
【００３９】
ユニット１は、方向Ａにおいてコネクタ２及び３をまとめることによって組み立てられて、ピン２０が溝１９のそれぞれの導入部２１に係合し、それから、図１及び２の上昇位置から図４の下降位置までレバー２４を回転させる。
【００４０】
より詳しくは、レバー２４は、その回転にしたがい、ラック３０に係合するセクターギア２９によってスライダ１６を方向Ｂに移動させ、ピン２０と関連する溝１９の傾斜した中間部２２との間の関連するスライド移動が、方向Ａにおいてコネクタ２及び３を徐々に結合させる。
【００４１】
特に図３及び６を参照すると、スライダ１６がケーシング４の内部で移動し始めると、保持部材４３のピン４７が、保持部材４２の傾斜路形状の端４４に接触してこれに沿ってスライドする。このようにして、シェル１２の方へかつ肩部４８の形成される開口部４１の縁部の方へ保持部材４３が曲がり、曲げられた保持部材４３は、プレート３８の肩部４８に抗してその自由端４６が拘束される。
【００４２】
レバー２４が下降位置に回転し続けて、スライダ１６をケーシング４の内側に徐々に係合させるのにしたがい、スライダ１６は、所定の位置でロックされるとともに保持部材４３によって移動が防止されたプレート３８に関してスライドし、スプリング３５が、固定されたプレート３８とケーシング４の方へ移動しているスライダ１６の端壁１７との間で圧縮される。
【００４３】
この段階において、保持部材４２は、凹所４５をピン４７の位置にもっていくために、保持部材４３のピン４７に沿って方向Ｂにスライドする。
【００４４】
ここで、ピン４７が凹所４５に爪止され、したがってプレート３８が解放されることになり、該プレートは、ケーシング４の本体６の端壁９に隣接したロック位置（図５）へ向けて、スプリング３５によってスライダ１６の側壁１８のスロット４０に沿って押される。
【００４５】
同時に、コネクタ２及び３が最終結合位置に到達し、レバー２４は、保持部材３１の歯３２に爪止めされた交差部材２８によって下降位置でロックされる。
【００４６】
この構成では、プレート３８の開口部４１の側縁が保持部材４２及び４３を取り囲み、方向Ａにおけるそれらの間のいかなる関連する移動をも防止し、かつ凹所４５からのピン４７の解放を防止する。
【００４７】
レバー２４を下降位置へ完全に回転させること及びケーシング４の内側にスライダ１６を完全に挿入することに失敗した場合には、レバー２４の解放と同時に、スライダ１６を外側へ押すようにスプリング３５が広がり、溝１９に係合するピン２０によってコネクタ３を排出し、このようにして、操作者による異常の即時の検出を可能にする。
【００４８】
プレート３８をスライダ１６の端壁１７に隣接した引き出し位置へスプリング３５に抗して移動させ、同時に、レバー２４を保持部材３１から解放して上昇位置へ回転させることによって、コネクタ２及び３が切り離される。
【００４９】
より詳しくは、プレート３８は、タブ４９を使用してスライダ１６に関して移動される。そして、一旦プレート３８が引き出し位置にくると、保持部材４３が、保持部材４２の凹所４５からピン４７を解放するように、方向Ａと平行な方向における曲がりから自由になる。それは、単に下降位置から上昇位置までレバー２４を移動することによってなされ、また、凹所４５の導入面５１に相互作用するピン４７の面取り５０によって補助される。
【００５０】
本発明によるコネクタ２の長所は、前述の説明から明らかであろう。
【００５１】
特に、ユニット１を組み立てるとき、例えば、複数のキャビティのそれぞれの内側における１つ以上の端子の不適切な組み付けなどの、レバー２４及びスライダ１６の不完全な移動が生じた場合に、結合装置１５つまりコネクタ３に対してスプリング３５が及ぼす弾性負荷が、コネクタ３を排出するために供給され、このようにして、コネクタ２及び３の結合におけるいかなる異常をも直ちに検出することが可能になる。
【００５２】
さらに、コネクタ２及び３間の相互作用領域の外側にスプリング３５を配置することは、一方が他方の内側に嵌め込まれるような部品の組み立て及び成形を簡略化する。
【００５３】
最後に、ケーシング４の外側にスプリング３５を配置すること、より詳しくはケーシング４とスライダ１６との間にスプリング３５を配置することは、電気ケーブルが突出する領域へのスライダ１６の突出量（stick out）における僅かな増加を制限することにより、コネクタ２の全体サイズを減少させる。
【００５４】
明らかに、ここには記載されていないが本発明の思想から逸脱することのない変形が、コネクタ２に施されていてもよい。
【００５５】
特に、凹所４５とピン４７とが、ケーシング４とスライダ１６とのそれぞれに結合されて設けられ、弾性力をもった可撓性の保持部材がスライダ１６の端壁１７から延びていてもよい。
【図面の簡単な説明】
【００５６】
【図１】本発明による電気プラグコネクタと相補的な電気ソケットコネクタとによって画成された電気接続ユニットの分解斜視図である。
【図２】図１の電気プラグコネクタの側面図である。
【図３】図１及び２での電気プラグコネクタの細部の、一部が断面で示された拡大斜視図である。
【図４】異なる操作位置での図１及び２の電気プラグコネクタの側面図である。
【図５】本発明による電気プラグコネクタの図４の操作位置での図３の細部の、一部が断面で示された斜視図である。
【図６】図５の位置に移動している図３の細部の、一部が断面で示された斜視図である。
【図７】さらなる操作位置での図１の電気プラグコネクタの拡大斜視図である。
【図８】本発明による電気プラグコネクタの図７の操作位置での図３の細部の、一部が断面で示された斜視図である。
【符号の説明】
【００５７】
１  電気接続ユニット
２  プラグコネクタ
３  ソケットコネクタ
４  絶縁ケーシング
６  本体
９，１０  端壁
１３  ケーシング
１５  レバー及びスライダ結合装置
１６  スライダ
１７  端壁
１８  側壁
１９  カム溝
２０  外側ピン
２４  操作レバー
３１  保持部材
３２  歯
３５  スプリング
３８  プレート
３９  突出部
４０  スロット
４２  保持部材
４３  保持部材
４４  自由端
４５  凹所（座部）
４７  ピン
４８  肩部
【図１】
2005535092.tif 000003
【図２】
2005535092.tif 000004
【図３】
2005535092.tif 000005
【図６】
2005535092.tif 000006
【図７】
2005535092.tif 000007
【図４】
2005535092.tif 000008
【図５】
2005535092.tif 000009
【図８】
2005535092.tif 000010
【国際調査報告】
2005535092.tif 000011
2005535092.tif 000012
2005535092.tif 000013